(57)【要約】【課題】利用者をより綺麗に撮影できるようにする。【解決手段】利用者を撮影する撮影部と、利用者に光を照射する照射部とを備え、照射部は、外装カバーと、撮影時に発光する発光部と、外装カバーよりも発光部に近い側に備えられ、発光部の一領域を遮光する遮光部とを備える。また遮光部は、発光部の一端に設けられている。外装カバーと発光部を覆う内装カバーは、光を拡散する拡散部材で形成されている。本技術は、例えば、写真シール作成装置に適用できる。【選択図】図１３
2019124711.tif 000002
【特許請求の範囲】
【請求項１】
利用者を撮影する撮影部と、
前記利用者に光を照射する照射部と
を備え、
前記照射部は、
外装カバーと、
撮影時に発光する発光部と、
前記外装カバーよりも前記発光部に近い側に備えられ、前記発光部の一領域を遮光する遮光部と
を備える写真シール作成装置。
【請求項２】
前記遮光部は、前記発光部の一端に設けられている
請求項１に記載の写真シール作成装置。
【請求項３】
前記外装カバーは、光を拡散する拡散部材で形成されている
請求項１または２に記載の写真シール作成装置。
【請求項４】
前記発光部を覆い、光を拡散する拡散部材で形成された内装カバーをさらに備える
請求項１乃至３のいずれかに記載の写真シール作成装置。
【請求項５】
前記照射部は、前記撮影部による撮影が行われる撮影空間に備えられ、
前記発光部の前記遮光部によって減光されていない領域からの光は、前記撮影空間の前記照射部から遠くに位置する前記利用者に照射され、前記発光部の前記遮光部によって減光された前記発光部からの光は、前記撮影空間内の前記照射部の近くに位置する前記利用者に照射される
請求項１乃至４のいずれかに記載の写真シール作成装置。
【請求項６】
前記照射部は、前記撮影部による撮影が行われる撮影空間の後面に備えられている
請求項１乃至５のいずれかに記載の写真シール作成装置。
【請求項７】
前記照射部は、前記撮影部による撮影が行われる撮影空間の前面に備えられている
請求項１乃至６のいずれかに記載の写真シール作成装置。
【請求項８】
前記照射部は、前記撮影部による撮影が行われる撮影空間の側面に備えられている
請求項１乃至７のいずれかに記載の写真シール作成装置。
【請求項９】
前記撮影部による撮影が行われる撮影空間の床には、最適な撮影位置を示すマークが表示され、前記利用者が前記マーク上に位置するとき、前記発光部の前記遮光部によって減光されていない領域からの光が前記利用者に照射される
請求項１乃至８のいずれかに記載の写真シール作成装置。
【請求項１０】
前記遮光部は、前記発光部からの光を弱める部材で形成されている
請求項１乃至９のいずれかに記載の写真シール作成装置。
【請求項１１】
前記遮光部は、所定の直径を有する円形状の複数の孔が形成されている
請求項１乃至１０のいずれかに記載の写真シール作成装置。
【請求項１２】
前記遮光部は、前記発光部の中央部分に設けられている
請求項１乃至１１のいずれかに記載の写真シール作成装置。
【請求項１３】
前記遮光部は、前記発光部の端部から離れた位置に設けられている
請求項１乃至１２のいずれかに記載の写真シール作成装置。
【発明の詳細な説明】
【技術分野】
【０００１】
本技術は写真シール作成装置に関し、例えば、利用者をより綺麗に撮影できるようにした写真シール作成装置に関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。写真シール作成装置によって提供される１ゲームの流れは、通常、撮影空間内にいる利用者を利用者として撮影し、利用者を編集空間に移動させ、編集空間内で行われる操作に従って画像を編集し、編集後の画像である編集画像をシール紙に印刷して排出するという流れになる。
【０００３】
このような写真シール作成装置においては、利用者を綺麗に撮影するために、強い光を利用者に当てることが行われていた。特許文献１においては、利用者に均一に光を照射することで、利用者を綺麗に撮影することが提案されている。
【先行技術文献】
【特許文献】
【０００４】
【特許文献１】特開２０１３−１３７４０５号公報
【発明の概要】
【発明が解決しようとする課題】
【０００５】
特許文献１で提案されているように、利用者に均一な光を照射した場合、１人の利用者に対しては均一に照射できても、複数の利用者に対しては均一に照射できない可能性があった。例えば、２人の利用者が、写真シール作成装置を利用したとき、ストロボに近い位置に立った利用者とストロボから遠い位置に立った利用者とでは、光のあたり方が異なり、撮影画像の出来栄えに違いが出てしまう可能性があった。
【０００６】
また、１人の利用者であっても、立ち位置により光のあたり方が異なり、撮影画像の出来栄えに違いが出てしまう可能性があった。このような撮影画像の出来栄えに違いが出ることは、撮影画像に対する利用者の満足度を低下させる一因となる可能性があるため、撮影画像の出来栄えに違いが出ないような光の照射が行われることが望まれている。
【０００７】
本技術は、このような状況に鑑みてなされたものであり、撮影時の利用者の立ち位置に関わらず出来栄えが良い画像を利用者に提供することができるようにするものである。
【課題を解決するための手段】
【０００８】
本技術の一側面の写真シール作成装置は、利用者を撮影する撮影部と、前記利用者に光を照射する照射部とを備え、前記照射部は、外装カバーと、撮影時に発光する発光部と、前記外装カバーよりも前記発光部に近い側に備えられ、前記発光部の一領域を遮光する遮光部とを備える。
【０００９】
本技術の一側面の写真シール作成装置においては、利用者を撮影する撮影部と、前記利用者に光を照射する照射部とが備えられている。前記照射部は、外装カバーと、撮影時に発光する発光部と、外装カバーよりも発光部に近い側に備えられ、発光部の一領域を遮光する遮光部とを備える。
【００１０】
なお、写真シール作成装置は、独立した装置であっても良いし、１つの装置を構成している内部ブロックであっても良い。
【発明の効果】
【００１１】
本技術の一側面によれば、撮影時の利用者の立ち位置に関わらず出来栄えが良い画像を利用者に提供することができる。
【００１２】
なお、ここに記載された効果は必ずしも限定されるものではなく、本開示中に記載されたいずれかの効果であってもよい。
【図面の簡単な説明】
【００１３】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】床材を示す斜視図である。
【図８】編集ユニットの正面の構成例を示す図である。
【図９】編集ユニットの側面の構成例を示す図である。
【図１０】写真シール作成装置の構成例を示すブロック図である。
【図１１】写真シール作成装置の機能構成例を示すブロック図である。
【図１２】背面ストロボの配置位置について説明するための図である。
【図１３】背面ストロボの配置位置について説明するための図である。
【図１４】利用者の立ち位置による撮影画像の出来栄えの違いについて説明するための図である。
【図１５】利用者の立ち位置による撮影画像の出来栄えの違いについて説明するための図である。
【図１６】利用者の立ち位置による撮影画像の出来栄えの違いについて説明するための図である。
【図１７】利用者の立ち位置により撮影画像の出来栄えに違いが発生しないようにするための背面ストロボについて説明するための図である。
【図１８】背面ストロボの構成について説明するための図である。
【図１９】背面ストロボの構成について説明するための図である。
【図２０】減光領域と発光領域について説明するための図である。
【図２１】利用者に照射される光の強度について説明するための図である。
【図２２】利用者に照射される光の強度について説明するための図である。
【図２３】利用者に照射される光の強度について説明するための図である。
【図２４】利用者に照射される光の強度について説明するための図である。
【図２５】利用者に照射される光の強度について説明するための図である。
【図２６】遮光部の構成について説明するための図である。
【図２７】遮光部の構成について説明するための図である。
【図２８】遮光部の構成について説明するための図である。
【図２９】遮光部の構成について説明するための図である。
【図３０】遮光部の設置位置について説明するための図である。
【図３１】遮光部の設置位置について説明するための図である。
【図３２】遮光部の設置位置について説明するための図である。
【図３３】ストロボの設置位置について説明するための図である。
【図３４】ストロボの設置位置について説明するための図である。
【図３５】ストロボの設置位置について説明するための図である。
【図３６】ストロボの設置位置について説明するための図である。
【図３７】ストロボの設置位置について説明するための図である。
【図３８】ストロボの設置位置について説明するための図である。
【図３９】ストロボの設置位置について説明するための図である。
【図４０】ストロボの設置位置について説明するための図である。
【図４１】ストロボの設置位置について説明するための図である。
【発明を実施するための形態】
【００１４】
以下に、本技術を実施するための形態（以下、実施の形態という）について説明する。
【００１５】
＜写真シール作成装置の外観＞
図１および図２は、写真シール作成装置１の外観の構成例を示す斜視図である。
【００１６】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００１７】
写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１８】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１９】
写真シール作成装置１は、写真作成ゲームを提供する写真作成ゲーム機ということができる。
【００２０】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２１】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離して設置される。撮影部２１と背景部２２の間に形成される空間が、撮影処理が行われる撮影空間となる。
【００２２】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２３】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００２４】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００２５】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２６】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２７】
撮影空間の床には、板状の部材である床材２７が敷かれる。
【００２８】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００２９】
撮影空間の上方には、撮影部２１の正面、連結部２３Ａ、および連結部２３Ｂに囲まれた天井が形成される。その天井の一部に、天井シート２４が設けられる。天井シート２４の一端が連結部２３Ａに固定され、他端が連結部２３Ｂに固定される。
【００３０】
天井シート２４は、シート状であっても、板状であっても良い。また、天井シート２４を連結部２３に連結しない、換言すれば、天井シート２４がなく、天井に開口部が形成されているようにしても良い。
【００３１】
また天井シート２４の一部に、通気孔を設けても良い。例えば、図１に示した天井シート２４の両端（連結部２３Ａ側と連結部２３Ｂ側）に四角形状で示した部分を、通気孔としても良い。また、図１に四角形状で示した部分は、光が入射する透明な部材で形成されていても良い。
【００３２】
編集ユニット１２は、撮影画像に編集を施すための装置である。編集ユニット１２は、一方の側面が撮影部２１の正面パネル４２に接するようにして、撮影ユニット１１に連結している。
【００３３】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３４】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５
が設けられる。
【００３５】
編集ユニット１２の上方にはカーテンレール２６が取り付けられる。カーテンレール２６は、３本のレール２６Ａ乃至２６Ｃを、組み合わせて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３６】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３７】
後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００３８】
＜利用者の移動について＞
ここで、写真シール作成ゲームの流れと、それに伴う利用者の移動について説明する。
【００３９】
図３は、写真シール作成装置１を上から見た平面図である。
【００４０】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４１】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００４２】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００４３】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４４】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００４５】
印刷待ち空間Ａ３に移動した利用者は、印刷が終わるのを待つ。印刷が終了すると、利用者は、編集ユニット１２の右側面に設けられた排出口から排出されたシール紙を受け取り、一連の写真シール作成ゲームを終える。
【００４６】
次に、各装置の構成について説明する。
【００４７】
＜事前選択部の構成＞
図４は、事前選択部２０の構成例を示す図である。
【００４８】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、利用者の人数の選択などに用いられる画面が表示される。
【００４９】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００５０】
また事前選択部２０のタッチパネルモニタ７１の上側には、ケース７４が設けられている。このケース７４には、例えば、写真シール作成装置１で作成されるシールのサンプルが掲示される。また、ケース７４は、広告として用いることができ、何らかの商品のサンプルや商品説明画像（ポスター）などを掲示することもできる。
【００５１】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５２】
正面パネル４２の中央よりやや上側には、カメラユニット８１が設けられる。カメラユニット８１の正面には、カメラ９１とタッチパネルモニタ９２が設けられる。
【００５３】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１は、利用者を被写体として撮影を行う撮影部として機能する。
【００５４】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００５５】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００５６】
カメラユニット８１の上方には、上ストロボユニット８２が設置される。この上ストロボユニット８２は、３枚のパネル８６−１乃至８６−３（以下、パネル８６−１乃至８６−３を個々に区別する必要がない場合、単にパネル８６と記述する）が備えられ、これらのパネル８６は、正面パネル４２に対して所定の角度を有して設置されている。その角度は、パネル８６の面が、利用者側に向く角度とされている。例えば、図１２に示したように、パネル８６は、正面パネル４２に対しておよそ４５度の角度を有して設置されている。
【００５７】
上ストロボユニット８２は、利用者の正面上方から、利用者の顔および上半身に光を照射する。パネル８６は、取り外すことが可能な構成とされており、パネル８６を取り外すと、内側には、照明用の電球や、撮影時に発光するストロボが配置されている。
【００５８】
カメラユニット８１の下方には、利用者の下半身および足元に光を照射する足元ストロボユニット８３が設けられる。
【００５９】
上ストロボユニット８２および足元ストロボユニット８３は、照明用の電球とストロボ発光可能な照明機器とにより構成される。上ストロボユニット８２および足元ストロボユニット８３は、撮影空間を明るくして、利用者の操作性や安全性を確保するために、撮影空間内を常時照らすとともに、撮影画像の画質を向上させるために、撮影タイミングでストロボ発光し、被写体となる利用者に光を照射する。
【００６０】
足元ストロボユニット８３と側面パネル４１Ａとの間には、箱状部８４が設けられる。また、足元ストロボユニット８３と側面パネル４１Ｂとの間には、箱状部８５が設けられる。箱状部８４，８５の上面は、写真シール作成装置１の設置面と略水平な面をなし、撮影作業を行う利用者が手荷物などを置くための荷物置き場として用いられる。
【００６１】
なお、正面パネル４２の例えば天井付近に、スピーカが設けられ、撮影処理の案内音声、BGM、効果音などが出力される構成としても良い。また、スピーカは、正面パネル４２ではなく、後述する背景部２２に設けられていても良い。ここでは、図６に示すように背景部２２にスピーカが設けられている場合を例に挙げて説明を続ける。
【００６２】
＜背景部の構成＞
図６は、背景部２２の撮影空間Ａ１側の構成例を示す図である。
【００６３】
背面パネル５１の上方には、背面ストロボ１０１−１と背面ストロボ１０１−２が設置されている。背面ストロボ１０１は、利用者、特に利用者の頭部に、利用者の後方かつ上方から光を照射する。
【００６４】
背面ストロボ１０１−１と背面ストロボ１０１−２の間に、スピーカ１０２−１とスピーカ１０２−２が設けられている。スピーカ１０２は、撮影処理の案内音声、BGM、効果音などを出力する。
【００６５】
なお、図６では、２つのスピーカ１０２が設けられている例を示したが、１つのスピーカ１０２が、例えば、背面ストロボ１０１−１と背面ストロボ１０１−２の中間部分に設けられているようにしたり、複数の小型のスピーカ１０２が設けられているようにしたりすることもできる。
【００６６】
背面パネル５１の撮影空間Ａ１側（図中、手前側）の面には、白色のシート１２１が貼り付けられている。ここでは、白色のシート１２１が貼り付けられているとして説明を続けるが、シート１２１の色は、白色に限らず、例えば、明るい灰色などでも良く、反射率の高い色とされる。
【００６７】
また、ここでは、シート１２１が貼り付けられているとして説明を続けるが、壁面自体が白色で塗られていたり、シート状ではなく、白色の板状のパネルが貼り付けられていたりしても良い。
【００６８】
また、カーテンユニットを設置し、そのカーテンユニットに白色のカーテンが巻き取られて収納され、撮影時に、その白色のカーテンが降りてくるような構成としても良い。またカーテンの色は、白色に限らず、例えば、明るい灰色などでも良く、反射率の高い色とすることができる。
【００６９】
＜床の構成＞
図７は、床材２７を示す斜視図である。説明の便宜上、撮影部２１、側面パネル４１Ａなどの図示は省略している。
【００７０】
床材２７の中央、または後方寄りの位置には、横長の長方形の床シート２７Ａが、その長辺が背面パネル５１と略平行になるように貼り付けられる。図７において、背面パネル５１のある方向が撮影空間Ａ１の後方となり、撮影部２１のある方向（白抜き矢印方向）が撮影空間Ａ１の前方となる。
【００７１】
床シート２７Ａには、マーク２８−１とマーク２８−２が印刷されている。マーク２８は、撮影時の立ち位置を利用者毎に誘導するための目印として用いられる。
【００７２】
例えば、利用者の人数が２人であり、上半身が大きく写る画像を撮影（アップ撮影）する場合、カメラ９１に向かって右側に立っている利用者の立ち位置として、マーク２８−１が指定され、左側に立っている利用者の立ち位置として、マーク２８−２が指定される。
【００７３】
図７に示した例では、マーク２８−１には、“ＲＩＧＨＴ”との右を意味する英単語が記載されており、右側に位置する利用者の立ち位置であることを、より明確に示す表示がされている。
【００７４】
同様にマーク２８−２には、“ＬＥＦＴ”との左を意味する英単語が記載されており、左側に位置する利用者の立ち位置であることを、より明確に示す表示がされている。
【００７５】
このマーク２８上に、利用者が位置するときに、利用者に最適に光が照射されるように、背面ストロボ１０１（図６）は、設置されている。このように、最適な撮影画像の出来栄えが得られる位置を、最適撮影位置と適宜記載する。
【００７６】
なお、最適な立ち位置（最適撮影位置）は、ストロボからの光が利用者に対して十分（適切）に照射される位置、カメラ９１の撮影範囲から外れない位置、背景と顔の大きさのバランスがよくなる位置等を意味する。
【００７７】
ところで、写真シール作成装置１は、カメラ９１で撮影された画像に対してトリミングを行い、編集画面に表示される画像を生成する。ここで撮影範囲とは、最終的に撮影画像として編集画面に表示される画像の範囲に対応した撮影部２１の撮像素子の範囲であるとして、説明を続けるが、撮影範囲をトリミング前の撮像素子の範囲としてもよい。
【００７８】
床シート２７Ａのマーク２８は、利用者の人数、撮影する画像の画角（範囲）などに応じて、最適な立ち位置を指定することができるような位置に印刷されているようにしても良い。すなわち、マーク２８は、図７に示したように、マーク２８−１とマーク２８−２の２つのマークだけでなく、複数人に対応した複数のマークや、異なる画角毎に対応した複数のマークが印刷されているようにしても良い。また、マーク２８の形状は、図７に示したような四角形状だけでなく、多角形、円形、星形、ハート型など、どのような形状であっても良い。
【００７９】
＜編集ユニットの構成＞
図８は、編集ユニット１２の正面側（編集空間Ａ２−１側）の構成例を示す図である。
【００８０】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００８１】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００８２】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００８３】
図９は、編集ユニット１２の左側面の構成例を示す図である。
【００８４】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００８５】
＜写真シール作成装置の内部構成＞
図１０は、写真シール作成装置１の構成例を示すブロック図である。図１０において、上述した構成と同じ構成には同じ符号を付してある。重複する説明については適宜省略する。
【００８６】
図１０に示すように、写真シール作成装置１は、PC(Personal Computer)部３０１に対して、事前選択部３０２、撮影部３０４、編集部３０５Ａ，３０５Ｂ、および印刷部３０６が外部入出力インタフェース３０３を介して接続されることによって構成される。情報処理部であるPC部３０１は、例えば編集ユニット１２の筐体内部に搭載される。
【００８７】
PC部３０１を構成するCPU(Central Processing Unit)３１１、ROM(Read Only Memory)３１２、RAM(Random Access Memory)３１３は、バス３１４により相互に接続される。
【００８８】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【００８９】
バス３１４には、さらに、入出力インタフェース３１５が接続される。入出力インタフェース３１５には、記憶部３１６、通信部３１７、およびドライブ３１８が接続される。
【００９０】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【００９１】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【００９２】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【００９３】
入出力インタフェース３１５には外部入出力インタフェース３０３が接続される。PC部３０１による各部の制御が、外部入出力インタフェース３０３を介して行われる。
【００９４】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【００９５】
タッチパネルモニタ７１は、PC部３０１による制御に従って各種の選択画面を表示し、選択画面に対する利用者の操作を受け付ける。利用者の操作の内容を表す入力信号はPC部３０１に供給され、各種の設定が行われる。
【００９６】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC部３０１に出力する。
【００９７】
撮影部３０４は、撮影空間Ａ１にいる利用者を対象とした撮影処理を実現する。撮影部３０４は、照明装置３３１、カメラ９１、タッチパネルモニタ９２、およびスピーカ１０２から構成される。
【００９８】
照明装置３３１は、撮影空間Ａ１内の各ストロボユニットであり、PC部３０１から供給される照明制御信号に従って発光する。
【００９９】
カメラ９１は、PC部３０１によるシャッタ制御に従って撮影を行い、撮影によって得られた撮影画像（画像データ）をPC部３０１に出力する。
【０１００】
編集部３０５Ａは、編集空間Ａ２−１にいる利用者を対象とした編集処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした編集処理を実現し、編集部３０５Ａと同一の構成を有する。なお、以下、編集部３０５Ａ，３０５Ｂを特に区別しない場合には、単に、編集部３０５という。
【０１０１】
タブレット内蔵モニタ１３１は、PC部３０１による制御に従って編集画面を表示し、編集画面に対する利用者の操作を受け付ける。利用者の操作の内容を表す入力信号はPC部３０１に供給され、編集対象となる撮影画像が編集される。
【０１０２】
印刷部３０６は、プリンタ３５１を含むように構成される。プリンタ３５１にはシール紙ユニット３５２が装着される。
【０１０３】
プリンタ３５１は、内蔵するヘッド３６１を駆動し、PC部３０１から供給された印刷データに基づいて、シール紙ユニット３５２に収納されているロール状のシール紙３６３に画像を印刷する。また、プリンタ３５１は、画像を印刷したシール紙３６３をカッター３６２によって所定のカット位置でカットして、シール紙排出口１６１に排出する。
【０１０４】
＜写真シール作成装置の機能構成例＞
図１１は、写真シール作成装置１の機能構成例を示すブロック図である。図１１に示す機能部のうちの少なくとも一部は、CPU３１１により所定のプログラムが実行されることによって実現される。
【０１０５】
写真シール作成装置１においては、事前選択処理部４０１、撮影処理部４０２、編集処理部４０３、および印刷処理部４０４が実現される。
【０１０６】
事前選択処理部４０１は、事前選択部３０２の各部を制御することで、事前選択処理を実行する。事前選択処理により、利用者の人数の選択、背景画像の選択などが行われる。利用者による選択内容を表す情報は撮影処理部４０２に供給される。
【０１０７】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１０８】
編集処理部４０３は、編集部３０５の各部を制御することで編集処理を行う。編集処理には、撮影画像に写る利用者の目の大きさや肌の明るさを調整するための画像処理、撮影画像に対して編集を施すための画像処理などが含まれる。
【０１０９】
編集処理部４０３は、撮影画像の編集を終えた後、編集画像を所定のレイアウトで配置することによって印刷データを生成し、印刷処理部４０４に出力する。
【０１１０】
印刷処理部４０４は、プリンタ３５１に印刷データを出力し、編集画像の印刷を行う。
【０１１１】
＜背面ストロボの設置位置について＞
上述した構成を有する写真シール作成装置１は、利用者を綺麗に撮影するために、利用者に適切な光が照射されるような構成とされている。ここで、利用者に適切な光が照射されるとは、利用者を綺麗に撮影できる、利用者が所望とした撮影ができる光が照射されることを含む意味である。
【０１１２】
背面ストロボ１０１は、図１２、図１３に示すような位置に設置されており、利用者に光を照射し、例えば、利用者の髪を立体的に撮影できるような位置に設置されている。
【０１１３】
図１２は、写真シール作成装置１の撮影空間の縦方向（ＸＹ平面）における断面図（撮影空間を横方向から見たときの図）である。図１３は、写真シール作成装置１の撮影空間の横方向（ＸＺ平面）における断面図（撮影空間を上方向から見たときの図）である。
【０１１４】
図１２、図１３において、右側は、正面側であり、撮影部２１が設けられている側である。また図１２において、左側は、背面側であり、背景部２２が設けられている側である。
【０１１５】
背面ストロボ１０１は、図１２に示したように、撮影空間において、背景部２２の上方に取り付けられている。背面ストロボ１０１は、背面パネル５１と例えば約４５度の角度を有し、利用者側に照射面側が向くように設置されている。
【０１１６】
なお、照射面側とは、光が照射される方向の面側であることを意味する。また光が照射される方向を、適宜、照射方向と記述し、照射方向とは、ストロボ筐体が向いている方向であることを意味する。ストロボ筐体は、図１８、図１９を参照して後述するように、背面ストロボ１０１内部に設けられているストロボのことである。
【０１１７】
背面ストロボ１０１は、図１３に示したように、撮影空間において、側面と背景部２２が交わる角の部分に取り付けられている。背面ストロボ１０１は、側面と例えば約５５度（背面パネル５１と約３５度）の角度を有し、利用者側に照射面側が向くように設置されている。
【０１１８】
この背面ストロボ１０１の設置位置における角度は、最適撮影位置に利用者が位置したときの利用者の頭部に、背面ストロボ１０１の照射面の中心が向くように設定されている。
【０１１９】
写真シール作成装置１の利用者は、女性が多く、女性が、最適撮影位置、例えば、マーク２８−１（図７）上に位置したときに、女性の頭部が位置する位置を仮定し、その仮定された頭部の位置に、背面ストロボ１０１の照射面の中心が向くように設定されている。
【０１２０】
また、写真シール作成装置１の撮影として、利用者の顔を主に撮影するアップ撮影と、利用者の全身を撮影する全身撮影が行われる場合、最適撮影位置は、アップ撮影時と全身撮影時とで異なる。最適撮影位置を示すマーク２８（図７）は、アップ撮影時に最適な撮影位置を表すマークであるとして説明を続ける。
【０１２１】
図１２や図１３に示した角度は一例であり、限定を示すものではない。背面ストロボ１０１の角度は、想定される利用者の人数や身長などに応じて調整されるようにすることができる。
【０１２２】
このように、背面ストロボ１０１は、最適撮影位置に利用者が位置したときに、最適な光が利用者に照射される位置に設置されている。よって、利用者が最適撮影位置に移動して、撮影されるようにする必要がある。そこで、図７に示したように、床材２７には、床シート２７Ａが設置され、その床シート２７Ａには、撮影に最適な位置を示すマーク２８が印刷され、利用者に最適な撮影位置を明示している。
【０１２３】
図１３を再度参照するに、例えば、２人の利用者が、写真シール作成装置１を利用しているとき、またその２人の利用者が、それぞれ最適撮影位置に位置しているときに、それぞれの利用者に対して、最適な光が、照射されるように、背面ストロボ１０１−１と背面ストロボ１０１−２は、それぞれ設置されている。
【０１２４】
ここで、図１３において、図中上側に位置する利用者を右利用者とし、図中下側に位置する利用者を左利用者とする。これは、撮影空間において、利用者が正面パネル４２側を向いて立っているとき、利用者にとって、右側を右、左側を左としているためであり、図１３においては、上側が右側に該当し、下側が左側に該当するからである。
【０１２５】
右利用者はマーク２８−１（図７）上に位置し、左利用者はマーク２８−２（図７）上に位置することで、最適撮影位置に位置している。このように利用者が最適撮影位置に位置しているとき、背面ストロボ１０１−１は、右利用者の頭部に光を照射し、背面ストロボ１０１−２は、左利用者の頭部に光を照射するような位置に、それぞれ背面ストロボ１０１−１と背面ストロボ１０１−２は、設置されている。
【０１２６】
すなわちこの場合、背面ストロボ１０１は、背面ストロボ１０１に近い側に位置している利用者に、最適に光を照射できる位置に設置されている。
【０１２７】
＜立ち位置による受光量の違い＞
背面ストロボ１０１は、このように、利用者が最適な位置に位置しているときに、最適な光を照射するように設置されている。ここで、仮に、背面ストロボ１０１が均一な光を照射するとし、そのような均一な光が利用者に照射されたときの撮影において得られる画像について説明を加える。
【０１２８】
なお、背面ストロボ１０１が均一な光を照射するとは、背面ストロボ１０１から照射される光が、どの方向においても同一の強度であるような光を照射することを意味する。
【０１２９】
図１４は、図１３と同じく、写真シール作成装置１の撮影空間の横方向（ＸＺ平面）における断面図（撮影空間を上方向から見たときの図）であるが、利用者の立ち位置が、図１３に示した場合と異なる。
【０１３０】
図１４に示した利用者の立ち位置は、左利用者（以下、利用者Ｂとする）は、最適撮影位置に位置しているが、右利用者（以下利用者Ａとする）は、最適な撮影位置よりも後方に位置している。このような状況を換言すると、利用者Ｂと背面ストロボ１０１−２との距離は、最適な距離であるが、利用者Ａと背面ストロボ１０１−１との距離は、最適な距離ではなく、背面ストロボ１０１−１側に近づきすぎているといえる。
【０１３１】
さらに換言すると、利用者Ｂよりも、利用者Ａは、背面ストロボ１０１に近い位置に居ると言える。ここで、背面ストロボ１０１からの光が、均一な光として照射されている場合、背面ストロボ１０１に近いほど、光を多く受光することになる。すなわちこの場合、利用者Ｂよりも、利用者Ａは光を多く受光ことになり、同等の光を受ける状況ではないことになる。
【０１３２】
なお、以下の説明においては、光を多く受光することを、受光量が多いと記述する。受光量とは、単位時間当たりに、利用者に照射される光の量であるとする。
【０１３３】
このような場合、利用者Ｂは、最適な光（適切な受光量）により綺麗に撮影されるが、利用者Ａは、最適な光よりも強い光（適切な受光量よりも多い受光量）により撮影される。このような撮影により得られる画像は、例えば、利用者Ｂよりも利用者Ａがテカったような画像となる可能性がある。
【０１３４】
このような場合、利用者Ａと利用者Ｂに、同等の受光量を与えることができる光が照射されていないことにより、利用者Ａと利用者Ｂの、それぞれの撮影画像の出来栄えに違いが発生し、利用者Ａと利用者Ｂの両方が満足するような画像が得られない可能性がある。
【０１３５】
２人などの複数の利用者が撮影されるとき、複数の利用者に同等の強さの光が照射され、それぞれの利用者が同じような撮影画像の出来栄えとなることで、複数の利用者全員が満足すると考えられる。
【０１３６】
このようなことは、１人の利用者が撮影されるような場合にも発生し、その利用者の満足度を低下させてしまう可能性がある。図１５を参照して、１人の利用者が撮影される場合を考える。
【０１３７】
図１５において、１人の利用者が、最適撮影位置よりも前にいる場合と、最適撮影位置よりも後ろ側にいる場合を示す。最適撮影位置よりも前にいる場合の利用者（図中左側に図示した利用者）を、利用者Ｃと記述する。同様に、最適撮影位置よりも後ろにいる場合の利用者（図中右側に図示した利用者）を、利用者Ａと記述する。
【０１３８】
このような場合、利用者Ｃは、背面ストロボ１０１−１から遠い位置での撮影となるため、最適な位置に位置したときに照射される光よりも弱い光が照射された撮影が行われる。一方で、利用者Ａは、背面ストロボ１０１−１から近い位置での撮影となるため、最適な位置に位置したときに照射される光よりも強い光が照射された撮影が行われる。
【０１３９】
１人の利用者に対して、このような光の強度が違う撮影が行われると、光の強度による撮影画像の出来栄えの差異が目立ち、満足する画像が得られず、利用者の満足度が低下してしまう可能性がある。
【０１４０】
よって、１人の利用者が撮影されるときも、利用者の立ち位置により、受光される光の強度に違いなく、どの立ち位置に置いても同等の強さの光が受光されるような光の照射が行われ、それぞれの撮影において同じような撮影画像の出来栄えとなることで、利用者の満足度が低下するようなことを防ぐことができると考えられる。
【０１４１】
図１６を参照し、利用者の立ち位置による背面ストロボ１０１からの光の強弱について説明を加える。図１６は、写真シール作成装置１の撮影空間における断面図であるが、説明のため、背面ストロボ１０１と利用者のみを図示してある。
【０１４２】
背面ストロボ１０１の近くに、利用者Ａが位置し、その位置よりも、背面ストロボ１０１から遠ざかる方向に、利用者Ｃが位置している場合を示す。利用者Ａは、図１４、図１５における利用者Ａに該当する。利用者Ｄは、図１４における利用者Ｂまたは図１５における利用者Ｃに該当する。
【０１４３】
図１６中、矢印は、光が照射されている方向を表し、矢印の太さは、利用者に受光される光の量（受光量）を表す。図１６に示したように、背面ストロボ１０１に近い方が、受光量が多くなる。
【０１４４】
背面ストロボ１０１から、均一な光が照射されている場合、背面ストロボ１０１からの距離が同一のところに居る利用者は、同一量の光を受光することになる。しかしながら、図１６に示したように、背面ストロボ１０１の近くに位置する利用者Ａは、背面ストロボ１０１からの光を多く受光し、利用者Ａよりも背面ストロボ１０１から離れた位置に位置する利用者Ｄは、背面ストロボ１０１からの光の受光量は、利用者Ａよりも少なくなる。
【０１４５】
よって、上記したように、立ち位置により、背面ストロボ１０１からの光の受光量が異なり、撮影画像の出来栄えに違いが生じてしまう可能性がある。
【０１４６】
そこで、立ち位置によらず、背面ストロボ１０１からの光の受光量が略同一になる背面ストロボ１０１について説明を加える。
【０１４７】
図１７は、図１６に示した図と同様に、写真シール作成装置１の撮影空間における断面図であり、説明のため、背面ストロボ１０１と利用者のみを図示した図である。図１７に示した背面ストロボ１０１は、図１８以降で説明する技術が適用されることにより、背面ストロボ１０１からの光の受光量が略同一になるように構成されている。
【０１４８】
すなわち、背面ストロボ１０１の近くに位置する利用者Ａは、弱い光を受光するようにし、背面ストロボ１０１から遠くに位置する利用者Ｄは、強い光を受光するように、背面ストロボ１０１の光は制御される。
【０１４９】
この場合、背面ストロボ１０１から照射される光は、均一な強度を有する光ではなく、異なる強度を有する光とされている。図１６に示した例では、背面ストロボ１０１に近い位置には、弱い光が照射され、背面ストロボ１０１から離れた位置には、強い光が照射されるように、背面ストロボ１０１は構成されている。
【０１５０】
背面ストロボ１０１に近い位置であり、弱い光が照射され領域を、減光領域４５１とする。また背面ストロボ１０１から離れた位置であり、強い光が照射される領域を、発光領域４５２とする。背面ストロボ１０１は、減光領域４５１と発光領域４５２を作り出すことができる光の照射を行うように構成されている。
【０１５１】
後述するように、発光領域４５２は、背面ストロボ１０１内のストロボ本体が発光したとき、その発光が届く領域であり、減光領域は、ストロボ本体の発光が遮光部により遮光されることで、弱められた光が届く領域である。
【０１５２】
このように背面ストロボ１０１からの光の強度を、背面ストロボ１０１からの光が届く位置により異なるようにすることで、背面ストロボ１０１からの距離が異なる位置に居る利用者に、略同一の強度の光を照射することが可能となる。
【０１５３】
減光領域４５１は、背面ストロボ１０１の近くであるため、図１６を参照して説明したように、本技術が適用されていない場合には、利用者Ａにおける受光量が多くなってしまう領域であるが、減光された光が利用者Ａに照射されることで、図１６を参照して説明した状況よりも、受光量を少なくすることができる。受光量が少なくなることで、適切な受光量へと近づけることができる。
【０１５４】
また発光領域４５２は、背面ストロボ１０１の遠くであるため、図１６を参照して説明したように、本技術が適用されていない場合には、利用者Ｄにおける受光量が適切または少なくなってしまう領域であるが、減光されていない光が利用者Ｄに照射されることで、図１６を参照して説明した状況と同一の受光量とすることができる。
【０１５５】
よって、減光領域４５１に位置する利用者Ａの受光量は減り、発光領域４５２に位置する利用者Ｄの受光量は維持されるため、結果として、利用者Ａと利用者Ｄにおける受光量は、略同一とすることができる。
【０１５６】
なお、ここでは、減光領域４５１と発光領域４５２の２領域があるとして説明を続けるが、複数の領域があっても良く、例えば、減光領域４５１と発光領域４５２との間に、中間の光の強度を有する領域があるように、背面ストロボ１０１が形成されていても良い。また、ここでは、説明の都合上、２領域があるとして説明を続けるが、このように２領域にはっきりと分けられる領域ではなく、例えば、利用者には区別が付かない適度の光の強度の変化であり、徐々に変化するように構成されている。
【０１５７】
＜背面ストロボの構成＞
減光領域４５１と発光領域４５２を作り出すことができる背面ストロボ１０１の構成について図１８、図１９を参照して説明する。
【０１５８】
まずここでは利用者に光を照射する照射部として、背面ストロボ１０１を例に挙げて説明を続けるが、撮影空間には、背面ストロボ１０１以外にも、利用者に光を照射する照射部は、設けられている。図１８、図１９を参照して説明する背面ストロボ１０１の構成（構成の一部）は、背面ストロボ１０１以外の照射部に対しても適用でき、適用した時の構成については、図３３以降を参照して後述する。
【０１５９】
図１８のＡに示したように、背面ストロボ１０１は、外装カバー５０１と取り付け部５０２とから構成されている。外装カバー５０１は、取り付け部５０２に対して着脱自在に形成されている。また、取り付け部５０２には、背面パネル５１に取り付けるための部材が備えられている。
【０１６０】
図１８のＡに示した背面ストロボ１０１の外装カバー５０１は、正面から見たとき、円形の形状を有しており、横方向からみたとき、半円球状の形状を有している。図１８のＡに示した背面ストロボ１０１は、丸傘ストロボなどと称されるストロボの形状である。
【０１６１】
背面ストロボ１０１の外観の形状、特に、外装カバー５０１の形状は、水平方向と垂直方向に、それぞれ光を拡散する形状とされている。例えば、円形状や楕円形状などの曲線を有するドーム型の形状、三角錘や六角錘といった多角錐の形状、傘形状などの形状とすることができる。また外装カバー５０１は、光を拡散する材料で形成され、光を拡散する拡散部材として、背面ストロボ１０１を構成する。
【０１６２】
このような条件が満たされれば、外装カバー５０１の形状は、図１８のＡに示した丸傘ストロボと称される形状以外の形状であっても良い。
【０１６３】
外装カバー５０１を外した背面ストロボ１０１には、図１８のＢに示すように、電球５１１とストロボ筐体５１２が備えられている。背面ストロボ１０１内の電球５１１は、撮影空間の照明として、基本的に常時点灯されている。背面ストロボ１０１内のストロボ筐体５１２内には、図１９のＢに示すように、発光部としてのストロボ本体５２３が備えられ、そのストロボ本体５２３は、撮影が行われるときに発光する。
【０１６４】
ストロボ筐体５１２は、遮光部５２１でその一部が覆われている。この遮光部５２１を取り除くと、図１９のＡに示すように、内装カバー５２２がある。この内装カバー５２２を取り除くと、図１９のＢに示すようにストロボ本体５２３がある。
【０１６５】
このように、ストロボ筐体５１２は、光を照射するストロボ本体５２３を、内装カバー５２２で覆い、さらに遮光部５２１で一部を覆う構造とされている。
【０１６６】
仮に図１９のＢに示したようなストロボ本体５２３のみで、内装カバー５２２と遮光部５２１が取り付けられていない状態で、ストロボ筐体５１２が構成されていた場合、ストロボ本体５２３が発光すると、強い光が被写体に直接的に照射されてしまう。内装カバー５２２でストロボ本体５２３を覆うことで、ストロボ本体５２３からの強い光を、弱い光に変換し、被写体に照射することが可能となる。
【０１６７】
また、内装カバー５２２を設けることで、利用者の頭部に強く光が当たりすぎて白飛びするのを防ぐことが可能となる。内装カバー５２２の色を、例えば、乳白色にすることで、利用者の頭部の色をより美しくする光を照射することが可能となる。また、内装カバー５２２は、外装カバー５０１と同じく、光を拡散する拡散部材で構成されているようにすることもでき、そのような拡散部材で構成されることで、ストロボ本体５２３が発光したときに、その光を広い範囲に拡散して照射することができる。
【０１６８】
また仮に、図１９のＡに示したようなストロボ本体５２３が内装カバー５２２で覆われてはいるが、遮光部２３１が取り付けられていない状態で、ストロボ筐体５１２が構成されていた場合、図１７を参照して説明した減光領域４５１と発光領域４５２という光の強度が異なる領域を作り出すことができない。このことについて、図２０を参照して説明する。
【０１６９】
図２０に、遮光部５２１、ストロボ本体５２３、減光領域４５１、および発光領域４５２を図示する。図示はしていないが、内装カバー５２２や外装カバー５０１も備えられ、ストロボ本体５２３からの光は拡散されるという前提で説明を続ける。
【０１７０】
ストロボ本体５２３の一領域は、遮光部５２１により覆われている。図２０に示した例では、遮光部５２１は、ストロボ本体５２３の約右半分の領域を覆うように設けられている。
【０１７１】
ここでは、遮光部５２１は、ストロボ本体５２３の約右半分の領域を覆うように設けられている例を示しているが、この覆う領域の大きさは、ストロボ本体５２３の約半分の領域に限らず、１／３、１／４など、１／２よりも小さい領域であっても良い。また、ストロボ本体５２３の発光の強度が強い場合など、遮光部５２１が、ストロボ本体５２３を覆う領域は、２／３、３／４など、１／２よりも大きい領域であっても良い。
【０１７２】
遮光部５２１は、ストロボ本体５２３の一領域を覆うように形成されていれば良い。ストロボ本体５２３の一領域を覆うとは、ストロボ本体５２３の全体ではなく、少なくとも一部は覆われていない領域があるように覆うことを意味する。
【０１７３】
また、一領域とは、ここでは、例えば、ストロボ本体５２３の右側半分の領域である場合を例に挙げて説明を続けるが、例えば、ストロボ本体５２３の右上側半分の領域や、右下側半分の領域などの場合を含む。
【０１７４】
また、遮光部５２１の形状などは、後述するような、スリットや孔が形成されている形状であっても良く、図２０や図１８のＢなどに示したような箱形形状であり、孔などがない板状のものに限定されるわけではない。
【０１７５】
また、遮光部５２１の取り付け位置も、どの部分に減光領域４５１を形成したいかにより、図２０に示した位置に限定されるわけではなく、後述するように、ストロボ本体５２３の中央部分等でも良く、図２０に示したようなストロボ本体５２３の一端に設けられている場合に、本技術の適用範囲は限定されるわけではない。
【０１７６】
なお、ストロボ本体５２３の一端とは、ストロボ本体５２３の右端または左端のうちのどちらかである。また、ストロボ本体５２３の右端と左端は、図１９のＢに示したように、ストロボ本体５２３のうち、取り付け部５０２に取り付けられている部分である。
【０１７７】
このように、ストロボ本体５２３の一端側の一領域を、遮光部５２１により覆うことで、一方が減光領域４５１と他方が発光領域４５２と分けることができ、例えば、撮影空間内の領域において、減光領域４５１と発光領域４５２を対応付けることが容易となる。例えば、撮影空間の後方が減光領域４５１であり、前方が発光領域４５２であるといった対応付けを、遮光部５２１の位置により簡単に判断することができる。
【０１７８】
図２０を参照するに、ストロボ本体５２３は、図中右側の約半分が遮光部５２１により覆われているため、ストロボ本体５２３が発光したとき、遮光部５２１により遮光される光と、遮光されない光とに分けることができる。遮光部５２１により遮光されることで、ストロボ本体５２３からの光は減光される。この遮光部５２１により減光された光が照射される領域が、減光領域４５１となる。
【０１７９】
このように、遮光部５２１を、ストロボ本体５２３の一領域に形成することで、その領域からの光は減光されるため、減光領域４５１を作り出すことができる。また、遮光部５２１で覆われていない領域は、ストロボ本体５２３からの光が減光されることなく照射されるため、発光領域４５２を作り出すことができる。
【０１８０】
ストロボ本体５２３からの光は、図２０では図示していないが、内装カバー５２２と外装カバー５０１を通って、利用者側に照射される。内装カバー５２２と外装カバー５０１は、光を拡散する部材であるため、ストロボ本体５２３からの光は拡散されて、利用者側に照射されることになる。遮光部５２１によりストロボ本体５２３からの光は遮光されるが、遮光部５２１により遮光されていない側からの光は、拡散して、利用者側に照射される。
【０１８１】
また、遮光部５２１は、ストロボ本体５２３の近傍に設けられている。遮光部５２１は、ストロボ本体５２３と外装カバー５０１との位置関係において、外装カバー５０１よりもストロボ本体５２３に近い側に設けられており、このような状態を、遮光部５２１は、ストロボ本体５２３の近傍に設けられていると記述する。
【０１８２】
遮光部５２１は、ストロボ本体５２３の近傍に設けられていることで、減光領域４５１となる領域に光が回り込みやすくなり、減光領域４５１であっても、ある程度の光量の光を照射されているようにすることができる。また、発光領域４５２においても、減光領域４５１に近い部分に光が回り込むため、減光領域４５１と発光領域４５２の部分において、回り込んだ光により、徐々に減光される（徐々に明るくなる）ような領域を作り出すことができる。
【０１８３】
よって、図２０に示したように、減光領域４５１と発光領域４５２は、広がった領域となる。また、発光領域４５２から減光領域４５１へは、拡散された光により、徐々に強度が弱くなるような光とすることができる。
【０１８４】
このように、遮光部５２１は、このような減光領域４５１を作り出すことができる大きさ、形状で形成され、ストロボ本体５２３の一領域を覆うように形成されていれば良い。よって、上記したように、遮光部５２１の大きさや、形状、取り付け位置などは図２０に示した例に限定されるわけではなく、適切に変更可能である。
【０１８５】
ところで、このようなストロボ筐体５１２を含む背面ストロボ１０１は、例えば、図１５に示したように、背面パネル５１の右と左にそれぞれ取り付けられている。図１５に示した例では、背面ストロボ１０１−１と背面ストロボ１０１−２が、背面パネル５１に取り付けられている。この背面ストロボ１０１−１と背面ストロボ１０１−２は、それぞれ、上記したようなストロボ筐体５１２を含み、減光領域４５１と発光領域４５２を作り出すことができる構成とされている。
【０１８６】
減光領域４５１と発光領域４５２は、背面ストロボ１０１−１と背面ストロボ１０１−２のそれぞれで作り出されるため、背面ストロボ１０１−１と背面ストロボ１０１−２の精度は、一致しているのが望ましい。そこで、遮光部５２１は、同じ塗料で塗装されることで、反射率が同一となるように構成されているようにすることができる。
【０１８７】
遮光部５２１は、板金により形成することができる。板金で、遮光部５２１を形成し、仮に遮光部５２１を塗装しなかった場合、金属の反射率や形状のわずかな違いなどにより、遮光部５２１において、個体差が発生する可能性がある。例えば、反射率の異なる遮光部５２１が背面ストロボ１０１−１と背面ストロボ１０１−２に搭載された場合、背面ストロボ１０１−１からの光と背面ストロボ１０１−２からの光に、差が生じる可能性がある。
【０１８８】
そこで、遮光部５２１を塗装することで、個体差を吸収し、背面ストロボ１０１−１からの光と背面ストロボ１０１−２からの光に、差が生じることがないようにすることができる。金属の表面を塗装することで、例えば、金属の反射率の個体差を吸収することができ、遮光部５２１を同一性能のものとすることができる。
【０１８９】
遮光部５２１の塗装の色は、白色であっても、黒色であっても良く、色の限定はない。遮光部５２１の塗装の色は、例えば、取り付け部５０２内部の塗装の色と同色とすることができる。
【０１９０】
なおここでは、一例として、板金により遮光部５２１が形成される場合を例に挙げて説明したが、遮光部５２１の材質は、金属に限らず、アクリル板などであっても良い。また、遮光部５２１を金属以外の材料で形成した場合も、塗装しても良いし、個体差が生じないような材料であれば塗装しなくても良い。
【０１９１】
また遮光部５２１は、ストロボ本体２５３と別体で設けられている場合を例に挙げて説明しているが、例えばストロボ本体２５３の一領域を塗装することで、遮光部５２１を形成しても良い。すなわち、ストロボ本体２５３に直接遮光のための塗料を塗布し、遮光部５２１としても良い。
【０１９２】
遮光部５２１を含めたストロボ筐体５１２は、外装カバー５０１に覆われ、利用者には見えないように構成されているため、遮光部５２１の色や形状などにより、背面ストロボ１０１の外観に影響を与えることない。よって、機能を重視して、遮光部５２１の色や形状などを設定することができる。
【０１９３】
＜光の当たり方について＞
このようなストロボ筐体５１２を備える背面ストロボ１０１−１と背面ストロボ１０１−２が取り付けられた撮影空間において撮影が行われたときの得られる効果について、説明を加える。
【０１９４】
図２１乃至図２５は、写真シール作成装置１の撮影空間の横方向（ＸＺ平面）における断面図（撮影空間を上方向から見たときの図）であり、利用者の立ち位置の一例を示した図である。
【０１９５】
図２１に示した例では、利用者Ａ、利用者Ｂ、利用者Ｃ、および利用者Ｄが撮影空間内に居る状況を示している。背面ストロボ１０１−１に近い側に利用者Ａが位置し、遠い側に利用者Ｃが位置している。また、背面ストロボ１０１−２に近い側に利用者Ｂが位置し、遠い側に利用者Ｄが位置している。
【０１９６】
図中、矢印は、背面ストロボ１０１からそれぞれの利用者に対して照射される光を表し、太さは、光の強さを表し、太い方が、光が強いことを表している。換言すれば、図２１乃至図２５において、細い矢印は、減光領域４５１内の光を表し、太い矢印は、発光領域４５２内の光を表す。
【０１９７】
図２１を参照するに、利用者Ａは、背面ストロボ１０１−１の減光領域４５１内に居るため、弱い光が照射されている。利用者Ｂは、背面ストロボ１０１−１の発光領域４５２内に居るため、強い光が照射されている。ここで、弱い光とは、減光領域４５１内の光は、発光領域４５２内の光と比較して弱いという意味である。さらに換言するに、弱い光とは、遮光部５２１が備えられていない場合に、照射される光よりも弱い光ということであり、上記したように、発光領域４５２内の光と比較して弱いという意味である。
【０１９８】
強い光とは、発光領域４５２内の光は、減光領域４５１内の光と比較して強いという意味である。またここでは、強い光と記述しても、最適撮影位置に利用者が位置したときに、利用者に照射される光と同等またはそれ以下の強度の光である。
【０１９９】
同様に、利用者Ｂは、背面ストロボ１０１−２の減光領域４５１内に居るため、弱い光が照射されている。利用者Ｄは、背面ストロボ１０１−２の発光領域４５２内に居るため、強い光が照射されている。
【０２００】
このように、利用者Ａと利用者Ｂには、弱い光が照射され、利用者Ｃと利用者Ｄには、強い光が照射される。ここで、図１６を参照した説明を再度簡便に行う。図１６を参照するに、仮に遮光部５２１を備えない背面ストロボ１０１によると、背面ストロボ１０１の近くに居る利用者Ａは、利用者Ｄよりも強い光が当てられることになり、利用者Ａの方が、利用者Ｄよりも明るく撮影される可能性がある。
【０２０１】
しかしながら、遮光部５２１を備える背面ストロボ１０１によると、図２１に示したように、背面ストロボ１０１−１の近くには、弱い光が照射されるため、背面ストロボ１０１−１の近くに居る利用者Ａが、利用者Ｃよりも強い光が当てられるといったようなことがなく、利用者Ａの方が、利用者Ｃよりも明るく撮影されてしまうようなことを防ぐことが可能となる。
【０２０２】
換言すれば、背面ストロボ１０１−１の近く居る利用者Ａと背面ストロボ１０１−１の離れた位置に居る利用者Ｃとに、同程度の強度の光を照射することが可能となり、利用者Ａと利用者Ｃの明るさが略同一となる撮影を行うことが可能となる。
【０２０３】
このように遮光部５２１を備える背面ストロボ１０１−１によると、強い光が照射される可能性があった背面ストロボ１０１−１の近くの領域には、減光された光が照射されるため、結果的に、背面ストロボ１０１−１の近くに居る利用者Ａと、利用者Ａよりは、背面ストロボ１０１−１から離れている位置に居る利用者Ｃに、同程度の光を照射することができる。
【０２０４】
同様に、遮光部５２１を備える背面ストロボ１０１−２によると、図２１に示したように、背面ストロボ１０１−２の近くには、弱い光が照射されるため、背面ストロボ１０１−２の近くに居る利用者Ｂが、利用者Ｄよりも強い光が当てられるといったようなことがなく、利用者Ｂの方が、利用者Ｄよりも明るく撮影されてしまうようなことを防ぐことが可能となる。
【０２０５】
さらに図２２を参照して、このような効果について説明を加える。例えば図２２に示したように、利用者Ａと利用者Ｄの２人の利用者が同時に撮影を行った場合を考える。利用者Ａと利用者Ｄの立ち位置は、図２１に示した利用者Ａと利用者Ｄの立ち位置と同じであるため、利用者Ａには、背面ストロボ１０１−１の減光領域４５１内の光が照射され、利用者Ｄには、背面ストロボ１０１−２の発光領域４５２内の光が照射される。
【０２０６】
利用者Ａと利用者Ｄは、背面ストロボ１０１からの距離が違うが、減光された光が利用者Ａに照射され、減光されていない光が利用者Ｄに照射されることで、結果的に、利用者Ａと利用者Ｄは、同程度の光が照射されることになり、利用者Ａと利用者Ｄの明るさが略同一となる撮影を行うことが可能となる。
【０２０７】
よって、２人の利用者が、背面ストロボ１０１からの距離が異なる立ち位置に位置した状態で撮影が行われたとしても、略同程度の光による撮影が行われるようにすることができ、２人の利用者の撮影画像の出来栄えに大きな違いがない状態で撮影を行うことが可能となる。よって、複数の利用者が写真シール作成装置１を利用したときの満足度を低下させるようなことを防ぐことができる。
【０２０８】
さらに図２３を参照して、このような効果について説明を加える。例えば図２３に示したように、利用者Ｃと利用者Ｄの２人の利用者が同時に撮影を行った場合を考える。利用者Ｃと利用者Ｄの立ち位置は、図２１に示した利用者Ｃと利用者Ｄの立ち位置と同じであるため、利用者Ｃには、背面ストロボ１０１−１の発光領域４５２内の光が照射され、利用者Ｄには、背面ストロボ１０１−２の発光領域４５２内の光が照射される。
【０２０９】
利用者Ｃと利用者Ｄは、ともに、発光領域４５２内の光が照射された撮影となるため、利用者Ｃと利用者Ｄに、同程度の光が照射された撮影が行われる。よって、２人の利用者が、背面ストロボ１０１からの距離が同じ立ち位置に位置した状態で撮影が行われたときも、同程度の光による撮影が行われるようにすることができ、２人の利用者の撮影画像の出来栄えに大きな違いがない状態で撮影を行うことが可能となる。よって、複数の利用者が写真シール作成装置１を利用したときの満足度を低下させるようなことを防ぐことができる。
【０２１０】
さらに図２４を参照して、このような効果について説明を加える。例えば図２４に示したように、利用者Ａと利用者Ｂの２人の利用者が同時に撮影を行った場合を考える。利用者Ａと利用者Ｂの立ち位置は、図２１に示した利用者Ａと利用者Ｂの立ち位置と同じであるため、利用者Ａには、背面ストロボ１０１−１の減光領域４５１内の光が照射され、利用者Ｂには、背面ストロボ１０１−２の減光領域４５１内の光が照射される。
【０２１１】
利用者Ａと利用者Ｂは、ともに、減光領域４５１内の光が照射された撮影となるため、利用者Ａと利用者Ｂに、同程度の光が照射された撮影が行われる。よって、２人の利用者が、背面ストロボ１０１からの距離が同じ立ち位置（背面ストロボ１０１に近い位置）に位置した状態で撮影が行われたとしても、同程度の光による撮影が行われるようにすることができ、２人の利用者の撮影画像の出来栄えに大きな違いがない状態で撮影を行うことが可能となる。よって、複数の利用者が写真シール作成装置１を利用したときの満足度を低下させるようなことを防ぐことができる。
【０２１２】
さらに図２５を参照して、このような効果について説明を加える。例えば図２５に示したように、１人の利用者が、図２５中、利用者Ａの位置と利用者Ｃの位置で、それぞれ立ち撮影を行った場合を考える。利用者Ａと利用者Ｃの立ち位置は、図２１に示した利用者Ａと利用者Ｃの立ち位置と同じであるため、図２５の利用者Ａの位置に利用者が立ち、撮影が行われるときには、背面ストロボ１０１−１の減光領域４５１内の光が照射され、図２５の利用者Ｃの位置に利用者が立ち、撮影が行われるときには、背面ストロボ１０１−１の発光領域４５２内の光が照射される。
【０２１３】
利用者Ａの位置での撮影と利用者Ｄの位置での撮影では、背面ストロボ１０１からの距離が違うが、利用者Ａの位置での撮影では、減光された光が利用者に照射され、利用者Ｄの位置での撮影では、減光されていない光が利用者に照射されるため、結果的に、利用者Ａの位置での撮影と利用者Ｄの位置での撮影では、同程度の光が照射された状態での撮影とすることが可能となる。
【０２１４】
よって、１人の利用者が、背面ストロボ１０１からの距離が異なる立ち位置に位置した状態で撮影を行ったとしても、略同程度の光による撮影が行われるようにすることができ、撮影毎の利用者の撮影画像の出来栄えに大きな違いがない状態で撮影を行うことが可能となる。よって、１人の利用者が写真シール作成装置１を利用したときの満足度を低下させるようなことを防ぐことができる。
【０２１５】
＜遮光部の構成＞
上記したように、遮光部５２１をストロボ筐体５１２に備えることで、減光領域４５１と発光領域４５２を作り出すことができる。遮光部５２１の形状は、減光領域４５１と発光領域４５２を作り出すことができる形状であれば良い。
【０２１６】
上記した遮光部５２１を、図２６に示す。図２６に示した遮光部５２１ａは、ストロボ本体５２３の一端（図２６では、右端）から、中央部分までの約半分を覆うように形成されている。このように、遮光部５２１ａは、ストロボ本体５２３の一領域を覆うように形成されている。
【０２１７】
図２７は、遮光部５２１の他の構成例を示す図である。図２７に示した遮光部５２１ｂには、スリット７０１が形成されている。
【０２１８】
図２０を参照して説明したように、光の強さは、発光領域４５２から、減光領域４５１に移るに従って、徐々に弱まる（徐々に減光）される方が、急激に変化するよりも良いと考えられる。発光領域４５２と減光領域４５１との境界領域の光の強さを調整するために、図２７に示した遮光部５２１ｂのように、遮光部５２１ｂにスリット７０１を形成しても良い。
【０２１９】
図２７に示した遮光部５２１ｂには、２つのスリット７０１−１とスリット７０１−２が形成されている。スリット７０１−１の方が、スリット７０１−２よりも幅広に形成されている。また幅広に形成されているスリット７０１−１は、ストロボ本体５２３に対して遮光部５２１ｂが設けられていない側に近い、遮光部５２１ｂに形成されている。
【０２２０】
遮光部５２１ｂによると、スリット７０１からはストロボ本体５２３からの光が漏れる構成とすることができる。すなわち、遮光部５２１ｂに、ストロボ本体５２３からの光を遮光する領域と、遮光しない領域を設けることができる。また、スリット７０１−１とスリット７０１−２の幅を異ならせることで、光の漏れ量を異ならせることができる。
【０２２１】
図２７に示した遮光部５２１ｂが備えられたストロボ筐体５１２によると、遮光されていない光と、遮光された光を入れ子状態の光を照射することができ、発光領域４５２から減光領域４５１への光の強度が徐々に変化するようにすることができる。
【０２２２】
なお、遮光部５２１ｂに形成されるスリット７０１の本数は、２本に限らず、１本、３本など、他の本数であっても良い。また、スリット７０１の大きさは、図２７を参照して説明したような大きさに限定されるわけではなく、同じ大きさのスリット７０１が複数本形成されているようにしても良い。また、同じ大きさのスリット７０１が複数本形成されているようにした場合、スリット７０１の間隔を調整することで、光の漏れ量を調整するようにしても良い。
【０２２３】
同じく、発光領域４５２から減光領域４５１への光の強度が徐々に変化するようにするために、図２８に示すように、スリット７０１ではなく、孔７０３が遮光部５２１に形成されているようにしても良い。
【０２２４】
図２８に示した遮光部５２１ｃは、複数の円形状の孔７０３が形成され、この孔７０３から、ストロボ本体５２３からの光が漏れるような形状とされている。孔７０３が形成されている遮光部５２１ｃにおいても、スリット７０１が形成されている遮光部５２１ｂ（図２７）と同じく、遮光されていない光と、遮光された光を入れ子状態の光を照射することができ、発光領域４５２から減光領域４５１への光の強度が徐々に変化するようにすることができる。
【０２２５】
図２８に示した遮光部５２１ｃに形成されている複数の孔７０３は、同じ大きさ（所定の直径を有する円形状）で形成されている場合を示したが、異なる大きさで形成されていても良い。例えば、ストロボ本体５２３の中央に近い側の孔７０３は大きく、ストロボ本体５２３の中央から離れるに従い徐々に小さくなるように形成されていても良い。
【０２２６】
また、図２８に示した遮光部５２１ｃに形成されている複数の孔７０３は、等間隔に形成されている例を示したが、等間隔に形成される場合に限定されるわけではなく、異なる間隔で形成されていても良い。
【０２２７】
またここでは、孔７０３として、円形の場合を示したが、円形以外の形状、例えば、三角、四角などの多角形状であっても良いし、楕円や半円といった形状であっても良い。
【０２２８】
上記した遮光部５２１は、金属などの光を透過しない（しづらい）材料で形成されている場合を前提として説明したが、図２９に示すように、光を弱める透光性の材料で、遮光部５２１が形成されていても良い。
【０２２９】
図２９に示した遮光部５２１ｄは、透光性を有する部材で形成されている。形状や取り付け位置は、図２６に示した遮光部５２１ａと同様であるが、部材が異なる。透光性を有する部材を用いた場合も、ストロボ本体５２３からの光を減光できる部材であれば、上記したように、減光領域４５１と発光領域４５２を形成することができる。
【０２３０】
図２７に示した遮光部５２１ｂを、透光性を有する部材で形成しても良い。また、図２８に示した遮光部５２１ｃを、透光性を有する部材で形成しても良い。
【０２３１】
図２７乃至図２９に示した遮光部５２１ｂ乃至５２１ｄによれば、遮光部５２１からもストロボ本体５２３からの光の一部が照射されるようにすることができるため、減光領域４５１内の光が減光されすぎることがないように、調整することができる。また、減光された光が照射される領域を広めること可能となる。
【０２３２】
＜遮光部の配置位置＞
遮光部５２１の配置位置について説明を加える。上記した実施の形態においては、例えば、図２６に示したように、ストロボ本体５２３の一端から中央部分までの領域を覆う遮光部５２１を例に挙げて説明した。図２６に示した遮光部５２１を、別角度から見た場合の図を、図３０に示す。
【０２３３】
図３０は、横方向から背面ストロボ１０１を見たときの背面ストロボ１０１の断面図である。図３０に示すように背面ストロボ１０１は、外装カバー５０１と取り付け部５０２で包まれる空間内に、ストロボ本体５２３が設置されている。このストロボ本体５２３の一領域を覆うように、遮光部５２１ａが設けられている。
【０２３４】
ストロボ本体５２３の図３０中の下側を一端とし、その一端から、上方向であり、ストロボ本体５２３の中央付近まで覆うように、遮光部５２１ａは形成されている。
【０２３５】
図示はしないが、この遮光部５２１ａがストロボ本体５２３を覆う量は、ストロボ本体５２３の一端から中央付近までの領域に限定されるわけではなく、一端から中央部分より手前までの領域であったり、一端から中央部分よりも先までの領域であったり、適宜、その大きさは変更可能である。
【０２３６】
図３１は、遮光部５２１の他の配置位置を示す図である。図３１は、図３０と同じく、横方向から背面ストロボ１０１を見たときの背面ストロボ１０１の断面図である。
【０２３７】
図３１に示した遮光部５２１ｅは、ストロボ本体５２３の中央部分に、所定の大きさで形成されている。このような位置に遮光部５２１ｅを形成した場合、ストロボ本体５２３の中央部分からの光は遮光され、ストロボ本体５２３の両端側からの光は遮光されずに照射される。よって、図３１に示した背面ストロボ１０１によれば、中央付近に減光領域４５１が形成され、その減光領域４５１を中心として、発光領域４５２が左右に形成される。
【０２３８】
図３２は、遮光部５２１の他の配置位置を示す図である。図３２は、図３０と同じく、横方向から背面ストロボ１０１を見たときの背面ストロボ１０１の断面図である。
【０２３９】
図３２に示した遮光部５２１fは、ストロボ本体５２３の一端側であり、その端部にだけ形成されている。また、図３２に示したストロボ本体５２３ａは、上記した実施の形態におけるストロボ本体５２３、例えば、図３１に示したストロボ本体５２３よりも短い形状とされている。
【０２４０】
図３２に示した背面ストロボ１０１の構成は、上述した実施の形態において、遮光部５２１により遮光する部分には、ストロボ本体５２３を形成せずに、短いストロボ本体５２３ａが内包されている。短いストロボ本体５２３ａが用いられることにより、遮光部５２１で遮光する部分がないため、遮光部５２１を形成しない構成としても良い。
【０２４１】
図３２では、ストロボ本体５２３ａがない部分に光が漏れ込まないように、遮光部５２１fが設けられている例を示した。
【０２４２】
このように、遮光部５２１の形状や設置位置は、適宜変更可能である。
【０２４３】
＜ストロボの設置位置＞
上述した実施の形態においては、例えば、図１２、図１３を参照して説明したように、背面パネル５１の上方であり左右に背面ストロボ１０１−１と背面ストロボ１０１−２がそれぞれ設置されている場合を例に挙げて説明をした。
【０２４４】
上述した減光領域４５１と発光領域４５２を形成できる背面ストロボ１０１は、背面パネル５１の上方であり左右に設置されるストロボとして用いることができることはもちろんであるが、他の部分に設置されて用いることもできる。ここで、背面ストロボ１０１の他の設置位置について説明を加える。
【０２４５】
図３３、図３４は、背面ストロボ１０１を、背面パネル５１の上方であり中央部分に一灯設置した例を示している。図３３、図３４に示したように、背面パネル５１の上方であり中央部分に背面ストロボ１０１を設置し、図３４に示すように、ストロボ本体５２３が縦方向になるように、また遮光部５２１が下側にくるように設置される。
【０２４６】
このように背面パネル５１の上方であり中央部分に背面ストロボ１０１を設置した場合、図３４に示すように、背面ストロボ１０１の近くに立った利用者、換言すれば、撮影空間の後方に立った利用者に対しては、減光領域４５１の光が照射される。また、図３４に示すように、背面ストロボ１０１から離れた位置に立った利用者、換言すれば、撮影空間の前方に立った利用者に対しては、発光領域４５２の光が照射される。
【０２４７】
このように、背面パネル５１の上方であり中央部分に背面ストロボ１０１を設置した場合も、撮影空間の前方に立っている利用者と後方に立っている利用者に、それぞれ同程度の強度の光を照射することができる。
【０２４８】
上記したストロボ筐体５１２の構成は、図３５に示すように、足元ストロボユニット８３に適用することもできる。足元ストロボユニット８３に上記したストロボ筐体５１２を適用した場合、ストロボ本体５２３は、縦方向になるように、また遮光部５２１が上側にくるように設置される。
【０２４９】
このように足元ストロボユニット８３にストロボ筐体５１２を設置した場合、図３５に示すように、足元ストロボユニット８３の近くに立った利用者、換言すれば、撮影空間の前方に立った利用者に対しては、減光領域４５１の光が照射される。また、図３５に示すように、足元ストロボユニット８３から離れた位置に立った利用者、換言すれば、撮影空間の後方に立った利用者に対しては、発光領域４５２の光が照射される。
【０２５０】
このように、足元ストロボユニット８３にストロボ筐体５１２を設置した場合も、撮影空間の前方に立っている利用者と後方に立っている利用者に、それぞれ同程度の強度の光を照射することができる。
【０２５１】
上記したストロボ筐体５１２の構成は、図３６に示すように、上ストロボユニット８２に適用することもできる。上ストロボユニット８２に上記したストロボ筐体５１２を適用した場合、ストロボ本体５２３は、縦方向になるように、また遮光部５２１が下側にくるように設置される。
【０２５２】
図３６に示した例では、上ストロボユニット８２として、上述した背面ストロボ１０１（例えば、図３０に示した背面ストロボ１０１）を用いた場合を示し、上ストロボユニット８０１と記述する。すなわちこの場合、背面ストロボ１０１と同様の構成を有する上ストロボユニット８０１を、撮影空間の前面の上方に設置した場合を示している。
【０２５３】
このように上ストロボユニット８０１を設置した場合、図３６に示すように、上ストロボユニット８０１の近くに立った利用者、換言すれば、撮影空間の前方に立った利用者に対しては、減光領域４５１の光が照射される。また、図３６に示すように、上ストロボユニット８０１から離れた位置に立った利用者、換言すれば、撮影空間の後方に立った利用者に対しては、発光領域４５２の光が照射される。
【０２５４】
このように、上ストロボユニット８０１を設置した場合も、撮影空間の前方に立っている利用者と後方に立っている利用者に、それぞれ同程度の強度の光を照射することができる。
【０２５５】
このように、遮光部５２１を有する上ストロボユニット８０１を用いる場合、換言すれば、遮光部５２１を有するストロボを、撮影部２１の上部に設置する場合、利用者の瞳に映るキャッチライトを整えるために遮光部５２１が用いられるようにしても良い。
【０２５６】
背面ストロボ１０１を、図３７に示すように、撮影空間の中央付近に設置しても良い。図３７に示した例では、上述した背面ストロボ１０１（例えば、図３０に示した背面ストロボ１０１）を、撮影空間の中央付近に設置した場合を示し、天井中央ストロボ８０２と記述する。
【０２５７】
すなわちこの場合、背面ストロボ１０１と同様の構成を有する天井中央ストロボ８０２を、撮影空間の中央の上方に設置した場合を示している。図３７に示すように、ストロボ本体５２３が縦方向になるように、また遮光部５２１が下側にくるように設置される。
【０２５８】
このように天井中央ストロボ８０２を設置した場合、図３７に示すように、天井中央ストロボ８０２の近くに立った利用者、換言すれば、撮影空間の中央付近に立った利用者に対しては、減光領域４５１の光が照射される。また、図３７に示すように、天井中央ストロボ８０２から離れた位置に立った利用者、換言すれば、撮影空間の後方に立った利用者に対しては、発光領域４５２の光が照射される。
【０２５９】
このように、天井中央ストロボ８０２を設置した場合も、撮影空間の前方に立っている利用者と後方に立っている利用者に、それぞれ同程度の強度の光を照射することができる。
【０２６０】
図３８、図３９は、上記したストロボ筐体５１２を含む天井ストロボ８０３として、背面パネル５１の上方であり中央部分に一灯設置した例を示している。この点は、図３３、図３４を参照して説明した背面ストロボ１０１を、背面パネル５１の上方であり中央部分に一灯設置した例と同様であるが、天井ストロボ８０３の形状は、背面ストロボ１０１とは異なる。
【０２６１】
図３８、図３９に示した天井ストロボ８０３は、形状が直方体で形成され、ストロボ本体５２３が横方向になるように配置されている。また、遮光部５２１は、ストロボ本体５２３の中央部分に設けられている。このような構成は、図３１に示した背面ストロボ１０１と同様の構成である。
【０２６２】
このように背面パネル５１の上方であり中央部分に天井ストロボ８０３を設置した場合、図３８、図３９に示すように、天井ストロボ８０３を中央とし、その右または左に立った利用者、換言すれば、撮影空間の左側または右側に立った利用者に対しては、発光領域４５２の光が照射される。また、図３８、図３９に示すように、天井ストロボ８０３の中央付近に立った利用者、換言すれば、撮影空間の中央付近に立った利用者に対しては、減光領域４５１の光が照射される。
【０２６３】
このように、背面パネル５１の上方であり中央部分に天井ストロボ８０３を設置した場合も、撮影空間の左側（右側）に立っている利用者と中央に立っている利用者に、それぞれ同程度の強度の光を照射することができる。よって、例えば、２人に限らず、３人などの複数の利用者が横に広がって撮影した場合においても、全員に略同等量の光を照射することができる。
【０２６４】
図４０、図４１は、上記したストロボ筐体５１２を含む側面ストロボ８０４を、連結部２３Ａと連結部２３Ｂのそれぞれの中央部分、換言すれば、撮影空間の側面の上方に設置した例を示している。側面ストロボ８０４は、背面ストロボ１０１と同様の構成とすることができる。図４０、図４１に示すように、ストロボ本体５２３が縦方向になるように、また遮光部５２１が下側にくるように設置される。
【０２６５】
このように連結部２３の中央部分に側面ストロボ８０４を設置した場合、図４１に示すように、側面ストロボ８０４の近くに立った利用者、換言すれば、撮影空間の左側または右側に立った利用者に対しては、減光領域４５１の光が照射される。また、図４１に示すように、側面ストロボ８０４から離れた位置に立った利用者、換言すれば、撮影空間の中央付近に立った利用者に対しては、発光領域４５２の光が照射される。
【０２６６】
このように、連結部２３の中央部分、換言すれば、撮影空間の側面の上方に側面ストロボ８０４を設置した場合も、撮影空間の左側（右側）に立っている利用者と中央に立っている利用者に、それぞれ同程度の強度の光を照射することができる。よって、例えば、２人に限らず、３人などの複数の利用者が横に広がって撮影した場合においても、全員に略同等量の光を照射することができる。
【０２６７】
図１３、図１４、および図３４乃至図４１を参照して説明したストロボの設置位置に関する実施の形態は、それぞれ単独で適用することも可能であるし、組み合わせて適用することも可能である。すなわち、上記した実施の形態においては、ストロボを、撮影空間の前方の下側、前方の上側、側面、後方の側面側、後方の中央、後方の天井、中央の天井などにそれぞれ設置する例を示した。
【０２６８】
これらの設置位置の１または複数の設置位置を組み合わせて、写真シール作成装置１を構成することもできる。例えば、撮影空間の前方の下側、前方の上側、後方の側面側に、本技術を適用したストロボを備える構成とすることができる。
【０２６９】
このように、ストロボ本体５２３の一領域を覆う遮光部５２１を設けることで、ストロボ本体５２３が発光したとき、ストロボ本体５２３からの光として、減光されていない光と減光された光といった、異なる強度の光を照射することが可能となる。よって、利用者の撮影空間内の立ち位置に適した強度で光を、利用者に照射することが可能となる。
【０２７０】
利用者に、適切な強度の光を照射し、撮影が行われることで、利用者を綺麗に撮影でき、利用者が満足する写真を提供できるようになる。
【０２７１】
＜その他の変形例＞
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、汎用のパーソナルコンピュータなどにインストールされる。
【０２７２】
インストールされるプログラムは、光ディスク（CD-ROM(Compact Disc-Read Only Memory)，DVD(Digital Versatile Disc)等）や半導体メモリなどよりなる図１０に示されるリムーバブルメディア３１９に記録して提供される。また、ローカルエリアネットワーク、インターネット、デジタル放送といった、有線または無線の伝送媒体を介して提供されるようにしてもよい。プログラムは、ROM３１２や記憶部３１６に、あらかじめインストールしておくことができる。
【０２７３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２７４】
また、本明細書において、システムとは、複数の装置により構成される装置全体を表すものである。
【０２７５】
なお、本明細書に記載された効果はあくまで例示であって限定されるものでは無く、また他の効果があってもよい。
【０２７６】
なお、本技術の実施の形態は、上述した実施の形態に限定されるものではなく、本技術の要旨を逸脱しない範囲において種々の変更が可能である。
【符号の説明】
【０２７７】
１  写真シール作成装置，  １１  撮影ユニット，  １２  編集ユニット，  ２０  事前選択部，  ２１  撮影部，  ２２  背景部，  ２３  連結部，  ２４  天井シート，  ２６  カーテンレール，  ２７  床材，  ２８  マーク，  ４１Ａ  側面パネル，  ４１Ｂ  側面パネル，  ４２Ｂ  側面パネル，  ５１  背面パネル，  ５２Ａ  側面パネル，  ５２Ｂ  側面パネル，  ６１  面，  ６２  斜面，  ８１  カメラユニット，  ８２  上ストロボユニット，  ８３  足元ストロボユニット，  ８６  パネル，  ９１  カメラ，  ９２  タッチパネルモニタ，  １０１  背面ストロボ，  １２１  シート，  ４０１  事前選択処理部，  ４０２  撮影処理部，  ４０３  編集処理部，  ４０４  印刷処理部，  ４５１  減光領域，  ４５２  発光領域，  ５０１  外装カバー，  ５０２  取り付け部，  ５１１  電球，  ５１２  ストロボ筐体，  ５２１  遮光部，  ５２２  内装カバー，  ５２３  ストロボ本体，  ７０１  スリット，  ７０３  孔，  ８０１  上ストロボユニット，  ８０２  天井中央ストロボ，  ８０３  天井ストロボ，  ８０４  側面ストロボ
【図１】
2019124711.tif 000003
【図２】
2019124711.tif 000004
【図３】
2019124711.tif 000005
【図４】
2019124711.tif 000006
【図５】
2019124711.tif 000007
【図６】
2019124711.tif 000008
【図７】
2019124711.tif 000009
【図８】
2019124711.tif 000010
【図９】
2019124711.tif 000011
【図１０】
2019124711.tif 000012
【図１１】
2019124711.tif 000013
【図１２】
2019124711.tif 000014
【図１３】
2019124711.tif 000015
【図１４】
2019124711.tif 000016
【図１５】
2019124711.tif 000017
【図１６】
2019124711.tif 000018
【図１７】
2019124711.tif 000019
【図１８】
2019124711.tif 000020
【図１９】
2019124711.tif 000021
【図２０】
2019124711.tif 000022
【図２１】
2019124711.tif 000023
【図２２】
2019124711.tif 000024
【図２３】
2019124711.tif 000025
【図２４】
2019124711.tif 000026
【図２５】
2019124711.tif 000027
【図２６】
2019124711.tif 000028
【図２７】
2019124711.tif 000029
【図２８】
2019124711.tif 000030
【図２９】
2019124711.tif 000031
【図３０】
2019124711.tif 000032
【図３１】
2019124711.tif 000033
【図３２】
2019124711.tif 000034
【図３３】
2019124711.tif 000035
【図３４】
2019124711.tif 000036
【図３５】
2019124711.tif 000037
【図３６】
2019124711.tif 000038
【図３７】
2019124711.tif 000039
【図３８】
2019124711.tif 000040
【図３９】
2019124711.tif 000041
【図４０】
2019124711.tif 000042
【図４１】
2019124711.tif 000043